(57)【要約】      （修正有）【課題】高所に設置された蛍光灯器具の蛍光灯を交換する場合、椅子や脚立を使用する事なく、長い柄軸がコンパクトに収納保管でき、作業状況により柄軸の長さが調節でき、安全で取り扱いやすく、構造、操作が簡単で、しかも製造コストのかからない蛍光灯の交換器具を提供する。【解決手段】柄軸を２本又は３本組にし、長さ調節可能な調節リングを設け、柄軸が着脱可能な着脱ソケットに柄軸を装着し、Ｕ字形の支持腕の両端上部に設けられた前後２箇所の挟持部で蛍光灯を挟持し、柄軸着脱ソケットの上部に設けられたワイヤ−牽引部材に固定されたワイヤ−を柄軸の回動操作で牽引し、蛍光灯器具に当てられたＬ字形の押動部材を押し出して、蛍光灯の電極ソケットから蛍光灯端子を引き離し、蛍光灯を挟持した前挟持部を有する上下可動な前側支持腕を柄軸で上下操作することにより蛍光灯の着脱をする。【選択図】図１
0003120993.tif 000002
【実用新案登録請求の範囲】
【請求項１】
柄軸部の着脱を可能とする柄軸着脱ソケットと、ワイヤ−の片端を固定されたワイヤ−牽引回転部を中央部に有し、Ｕ字形を形成する前後支持腕の各上部に、夫々形状を異にする蛍光灯を挟持する挟持部が設けられた挟持部組品と、先端に、蛍光灯器具に押し当てられる押当部を設けたＬ形押動部の交換可能なＬ形押動部交換ソケットを設け、後部にワイヤ−固定ピンが設けられ、ワイヤ−の他端が固定された押動部と、そのワイヤ−固定ピンの前後可動な押動部駆動孔を設け、押動軸を押動駆動する押動部駆動軸と、その両端下部に、押動部駆動軸を支持する前後の駆動軸支持部が設けられ、前側は前支持腕と上下可動の駆動軸上下可動孔が接合し、後側は後支持腕と接合し、前記の上下可動を支える支点機能を有してなる押動駆動部とで構成され、柄軸部の回動操作によりワイヤ−牽引回転部に固定されたワイヤーが牽引され、蛍光灯に押し当てられたＬ形押動部が押し出され、挟持部で挟持された蛍光灯を介し、他方側の電極ソケットが外方に押動され、係る電極ソケッから蛍光灯端子を引き離し、前駆動軸支持部に設けられた駆動軸上下可動孔に接合された前支持腕を、柄軸部の上下操作により蛍光灯の着脱がなされることを特徴とする蛍光灯の交換器具。
【請求項２】
２本又は３本組にされた柄軸の下部に柄軸握持部を有し柄軸調節リングが設けられた、柄軸着脱ソケットにより着脱を可能とする柄軸部は、請求項１に記載のワイヤ−牽引回転部に固定されたワイヤ−の片端を解除し柄軸全長相当のワイヤ−を追加延長し、柄軸握持部分にワイヤ−牽引操作部を設けることも可能とし、又、他形状蛍光灯の交換器具への取替えも可能とし、蛍光灯器具の設置位置や作業状況により柄軸を好適な長さに調節できることと、使用後、コンパクトに収納保管できることを特徴とする蛍光灯の交換器具。
【考案の詳細な説明】
【技術分野】
【０００１】  この考案は、高所に設置された挟持式突き合わせ電極ソケットを用いた直管蛍光灯照明器具に装着された蛍光灯の交換器具に関するものである。
【背景技術】
【０００２】  従来、高所に設置された蛍光灯器具の蛍光灯を交換する場合、椅子や脚立を利用し直接手で交換されているが、椅子や脚立を不要とする交換器具も色々と考案されている。考案では、蛍光灯照明器具の長手方向両端に有する電極ソケットに挟持された蛍光灯の着脱方法として、柄軸部材に駆動操作部を設け、その駆動操作部を操作することで、柄軸上部に設けられた１箇所の握持部で蛍光灯を握持し、蛍光灯と電極ソケットとの接合部の一方に特殊舌状部材を挿入し回転させて、蛍光灯の蛍光灯端子を電極ソケットから出し入れ操作することで着脱する方法が考案されている（例えば、特許文献１参照。）。又、柄軸部材の先端を二股に分岐し、片方の上部に蛍光灯の電極ソケットを押動する揺動部材等からなる押動部と、蛍光灯を挟持する挟持部を、夫々、２本のワイヤ−で連結された柄軸下部に設けられた操作レバ−を操作することで、挟持した蛍光灯を介して他方側のソケットを外側へ押し広げて、蛍光灯端子を引き離すことにより蛍光灯の着脱をする方法が考案されている（例えば、特許文献２参照。）。上記の他、電極ソケットから蛍光灯端子を離し、蛍光灯の着脱をする方法が種々考案されている。
【特許文献１】特開平０９−０５７６４４号公報
【特許文献２】特開平０９−１４７７９３号公報
【考案の開示】
【考案が解決しようとする課題】
【０００３】  しかし、蛍光灯の蛍光灯端子部分への操作部材挿入は、安全性に問題があり、又、握持部材で蛍光灯を把持しての着脱方法では構造が複雑となり、さらに、ワイヤ−若しくは回転軸等での操作装置が柄軸部材に併有されており、蛍光灯の設置位置によっては柄軸部材の伸縮調節が必要であるが、その柄軸伸縮調節の点において問題がある。さらに、使用後、分解をしての保管ができず保管場所の確保が必要となる問題がある。【０００４】  そこで、本考案は構造が簡単であることと、蛍光灯器具の設置位置、または作業状況に合わせ、使用者にとって好適な長さに調節でき、しかも、操作が簡単で、安全に交換作業ができることと、保管時においては分解保管ができ場所をとらない蛍光灯の交換器具を提供することを課題とする。
【課題を解決するための手段】
【０００５】  以上の課題を解決するために、第一考案は、柄軸部の着脱を可能とする柄軸着脱ソケットと、ワイヤ−の片端を固定されたワイヤ−牽引回転部を中央部に有し、Ｕ字形を形成する前後支持腕の各上部に、夫々、形状を異にする蛍光灯を挟持する挟持部が設けられた挟持部組品と、先端に、蛍光灯器具に押し当てられる押当部を設けたＬ形押動部と、そのＬ形押動部の交換可能なＬ形押動部交換ソケットを設け、後部にワイヤ−固定ピンが設けられ、ワイヤ−の他端が固定された押動軸と、そのワイヤ−固定ピンの前後可動な押動部駆動孔を設け、押動軸を押動駆動する押動部駆動軸と、その両端下部に、押動部駆動軸を支持する前後の駆動軸支持部が設けられ、前側は前支持腕と上下可動の駆動軸上下可動孔が接合し、後側は後支持腕と接合し、前記の上下可動を支える支点機能を有してなる押動駆動部とで構成され、柄軸部の回動操作によりワイヤ−牽引回転部に固定されたワイヤ−が牽引され、蛍光灯器具に押し当てられたＬ形押動部が押し出され、挟持部で挟持された蛍光灯を介し、他方側の電極ソケットを外方に押動し、係る電極ソケットから蛍光灯端子を引き離し、駆動軸支持部に設けられた駆動軸上下可動孔に接合された前支持腕を、柄軸部の上下操作により蛍光灯の着脱がなされることを特徴とする蛍光灯の交換器具である。【０００６】  第二考案は、２本又は３本組にされた柄軸の下部に柄軸握持部を有し柄軸調節リングが設けられた、柄軸着脱ソケットにより着脱を可能とする柄軸部は、請求項１に記載のワイヤ−牽引回転部に固定されたワイヤ−の片端を解除し、柄軸全長相当のワイヤ−を追加延長し、柄軸握持部分にワイヤ−牽引操作部を設けることも可能とし、又、他形状蛍光灯の交換器具への取替えも可能とし、蛍光灯器具の設置位置や作業状況により柄軸を好適な長さに調節できることと、使用後、コンパクトに収納保管できることを特徴とする蛍光灯の交換器具である。
【考案の効果】
【０００７】  第一考案、及び第二考案によれば、コンパクトに収納保管された柄軸部を柄軸着脱ソケットに装着し、作業に好適な長さに調節する。そして、Ｌ形押動部の先端に設けられた押当部を電極ソケット、又は蛍光灯端子に接触する事なく電極ソケット上部付近の蛍光灯器具に当てる。次に、柄軸部を押し上げ蛍光灯を前後挟持部に挟持させ、その柄軸部を回動操作することでＬ形押動部が押し出され電極ソケットから蛍光灯端子を引き離し、蛍光灯を挟持した前挟持部を有する前支持腕を、柄軸部の上下操作をし蛍光灯器具から蛍光灯を着脱することで、コンパクトな収納保管と簡単操作で作業状況にあった快適な作業が行える。
【考案を実施するための最良の形態】
【０００８】  以下、本考案を実施するための最良の形態を図示例と共に説明する。図１は本考案の簡略斜視図であり、本考案器具は柄軸部２２と交換器具本体部３３とで構成され、交換器具本体部３３は図２の先端にＬ形押動部２を有する押動駆動部４と、図３のＵ字形を形成する支持腕を有する挟持部組品３２とが、駆動軸上下可動孔７と前駆動軸支持部取付穴２６、そして、後支持腕取付穴３１と後駆動軸支持部取付穴２７とで接合し構成されたものである。【０００９】  柄軸部２２は軽量なパイプ材で２本又は３本組に形成され、蛍光灯器具の設置位置、作業状況等により柄軸を好適な長さに伸縮調節可能な柄軸調節リング２３と、下部には手に馴染み易く滑り止め効果のあるゴム材で形成された柄軸握持部２４を有し、図２の挟持部組品３２の中央下部に設けられた柄軸着脱ソケット２１により着脱を可能とする。使用後、取り外した柄軸部２２を最短にし、交換器具本体部３３と共にコンパクトに収納保管を可能とする。【００１０】  図２に示す押動駆動部４は軽量なパイプ材で形成された押動部駆動軸３と、その両端下部に設けられた、軽量な板材で形成された前後の駆動軸支持部６、１４とで構成されており、そのパイプ材内を出し入れ可動の、先端にＬ形押動部交換ソケット５を有する押動軸３０を装備し、係るＬ形押動部交換ソケット５には、先端に、照明器具の形状に合った押動部１が設けられ、蛍光灯の位置決め目盛り２５を有するＬ形押動部２が装着されている。そして、押動駆動部４の両端を支持する前後駆動軸支持部６、１４の前駆動軸支持部６には駆動軸上下可動孔７が設けられ、前支持腕１７の前駆動軸取付穴２６と接合し、その接合部は前支持腕１７を上下可動させる。そして、後駆動軸支持部１４は後支持腕取付穴３１を有し、後支持腕１８の後駆動軸取付穴２７と接合し、その接合部は前記の上下可動を支える支点機能を有する。【００１１】  図３の挟持部組品３２は軽量なパイプ材で形成された前支持腕１７と、後支持腕１８の上部に夫々、形状を異にする前挟持部１５と後挟持部１６とが設けられている。各挟持部１５及び１６は蛍光灯を受け入れることのできる上方に向いた形状で、各挟持部を蛍光灯に押し付けた場合に上方が押し広げられ挟持を可能とする。又、各挟持部１５及び１６は弾性の強い薄鋼板で形成され、内部の蛍光灯との接触部分には蛍光灯保護と滑り止めとしてゴムが内装されている。さらに、前挟持部１５は本考案器具の蛍光灯への取り付け方向及び軸方向移動をガイドする機能を有し、後挟持部１６は蛍光灯との接触面積を確保することで蛍光灯の挟持性強化と滑り止め効果の作用強化のため夫々形状を異にする。【００１２】  図２及び図３に示すワイヤ−９は、前支持腕１７に設けられたワイヤ−支持具ｂ１９と前駆動軸支持部６に設けられたワイヤ−支持具ａ８に支持され、片端はワイヤ−牽引回転部２０に固定され、他端は押動部駆動軸３の中央部に設けられた押動部駆動孔１０より露出している駆動軸３０の後部位置に設けられたワイヤ−固定ピン１１に固定されている。そして、押動部駆動孔１０を前後移動するワイヤ−固定ピン１１と押動部駆動軸３に設けられたバネ支持ピン１２とは押動部戻しバネ１３で連結され、柄軸部２２の回動操��により押動部３０が押出された時は伸び、平時は押動部３０を所定の位置に戻し置く作用を有する。【００１３】  柄軸部２２の回動操作により、ワイヤ−牽引回転部２０に片端を固定されたワイヤ−９の他端を固定されたワイヤ−固定ピン１１が牽引され、固着された押動軸３０と共に押動部駆動孔１０を前進し、蛍光灯器具Ａに当てられた押動軸３０に装着されたＬ形押動部２を押し出し、前挟持部１５、後挟持部１６に挟持された蛍光灯Ｃを介し他方側の電極ソケットＢを外方に押動し、電極ソケットＢから蛍光灯端子Ｄを引き離し、前駆動軸支持部６に設けられた駆動軸上下可動孔７に接合され、蛍光灯Ｃを挟持した前挟持部１５を有する前支持腕１７を柄軸部２２で上下操作することで蛍光灯の着脱をする。
【実施例】
【００１４】  次に、本考案器具の実施例として、図４に図示の如く、本考案器具の上部先端に位置するＬ形押動部２の押当部１を、高所に装着された蛍光灯Ｃの長手方向上部に掛け移動させて蛍光灯器具Ａに押し当て、そして、柄軸部２２を押し上げ、前支持腕１７の上部に設けられた前挟持部１５、後支持腕１８の上部に設けられた後挟持部１６の順に蛍光灯Ｃを挟持させる。【００１５】  そして、前述の状態から図５に図示の如く、柄軸部２２に設けられた柄軸握持部２４で柄軸部２２を右回動操作することで、挟持部組品３２の中央上部に設けられたワイヤ−牽引回転部２０に片端を固定されたワイヤ−９は、押動部駆動軸３に設けられた押動部駆動孔１０より露出した押動軸３０に設けられたワイヤ−固定ピン１１に他端を固定されてあることにより牽引され、蛍光灯器具Ａに押し当てられた、押動軸３０の先端に位置するＬ形押動部交換ソケット５に装着されたＬ形押動部２が押し出され、蛍光灯端子Ｄを電極ソケットＢより引き離す。【００１６】  そして、柄軸部２２を引き下げ操作することで、図６に図示の如く、前駆動軸支持部６に設けられた駆動軸上下可動孔７の駆動軸部取付ねじａ２８は前述孔７の上部に移動し、蛍光灯Ｃを挟持した前挟持部１５を有する前支持腕１７は斜め下方に向き、この時、柄軸部２２を左回動操作し、図７に図示の如く、バネ支持ピン１２とワイヤ−９の他端が固定されたワイヤ−固定ピン１１との間に装着された押動部戻しバネ１３により、Ｌ形押動部２は当初の位置に戻され、本考案器具と共に挟持された蛍光灯Ｃを蛍光灯器具Ａより取り外しをする。【００１７】  上記の如く取り下ろされた蛍光灯を取り替えし、照明器具に取り付けする場合、蛍光灯Ｃを、前挟持部１５及び後挟持部１６から外し、交換用蛍光灯の片端を位置決め目盛り２５で合わせ、蛍光灯端子Ｄの角度を床面に対し水平、垂直、４５度等の確認の上、前後挟持部１５、１６に挟持させ、そして、図７に図示の如く、前駆動軸支持部６の駆動軸部取付ねじａ２８を駆動軸上下可動孔７の上部に位置させてから、柄軸部２２を捧げ持ち蛍光灯器具長手方向と同方向に押し上げ、他端の蛍光灯端子Ｄを他端の電極ソケットＢに挿入し、図７の図示状態にする。以下、前述の蛍光灯取外し順序とは逆順の図６、図５、図４の状態に進行し、蛍光灯Ｃを蛍光灯器具Ａに装着し、蛍光灯Ｃから本考案の交換器具を取り外す。そして、柄軸着脱ソケット２１から柄軸部２２を外し、柄軸調節リング２３を緩め柄軸部２２を最短に縮め、交換器具本体部３３と共にコンパクトに収納保管をする。
【図面の簡単な説明】
【００１８】
【図１】本考案の一実施形態を示した斜視図である。
【図２】Ｌ形押動部を有する押動駆動部を示した斜視図である。
【図３】Ｕ字形を形成する挟持部組品を示した斜視図である。
【図４】本考案交換器具装着時の押動駆動部４の作動状態を示す平面図である。
【図５】柄軸部の右回動操作時の作動状態を示す平面図である。
【図６】柄軸部の引下操作時の押動駆動部４の作動状態を示す平面図である。
【図７】柄軸部の左回動操作時の押動駆動部４の作動状態を示す平面図である。
【符号の説明】
【００１９】    １  押当部                  １６  後挟持部            ３１  後支持腕取付穴
２  Ｌ形押動部              １７  前支持腕            ３２  挟持部組品
３  押動部駆動軸            １８  後支持腕            ３３  交換器具本体部
４  押動駆動部              １９  ワイヤ−支持具ｂ      Ａ  蛍光灯器具
５  Ｌ形押動部交換ソケット  ２０  ワイヤ−牽引回転部    Ｂ  電極ソケット
６  前駆動軸支持部          ２１  柄軸着脱ソケット      Ｃ  蛍光灯
７  駆動軸上下可動孔        ２２  柄軸部                Ｄ  蛍光灯端子
８  ワイヤ−支持具ａ        ２３  柄軸調節リング
９  ワイヤ−                ２４  柄軸握持部
１０  押動部駆動孔            ２５  位置決め目盛り
１１  ワイヤ−固定ピン        ２６  前駆動軸支持部取付穴
１２  バネ支持ピン            ２７  後駆動軸支持部取付穴
１３  押動部戻しバネ          ２８  駆動軸部取付ねじａ
１４  後駆動軸支持部          ２９  駆動軸部取付ねじｂ
１５  前挟持部                ３０  押動軸
【図１】
0003120993.tif 000003
【図２】
0003120993.tif 000004
【図３】
0003120993.tif 000005
【図４】
0003120993.tif 000006
【図５】
0003120993.tif 000007
【図６】
0003120993.tif 000008
【図７】
0003120993.tif 000009